(57)【特許請求の範囲】
【請求項１】
家屋の軒先前面に、軒樋内吊り金具に締着したカバー支持具を介して軒先化粧カバーを取付けるようになした軒先パネル取付け構成体であって、前記カバー支持具は、その上部後端部が円弧状に立ち上がり且つ当該円弧状部分に長孔を設けて形成されており、前記内吊り金具の支持杆に前記上部後端部が締着され、内吊り金具の前縁樋耳係止部を覆うと共に、その前面側より垂下延設されていることを特徴とする軒先パネル取付け構成体。
【請求項２】
内吊り金具の支持杆に締着するカバー支持具の上部及び下部には、軒先化粧カバーを取付けるビス固定孔が形成され、その中間部には、内吊り金具の前縁樋耳係止部に取付けるビス固定孔が形成されていることを特徴とする請求項１記載の軒先パネル取付け構成体。
【発明の詳細な説明】
【０００１】
【発明の属する技術分野】
本発明は軒先パネル取付け構成体に係り、特に、軒樋の内吊り金具に締着したカバー支持具により、軒先化粧カバーが簡単に取付けられて施工性良く、しかも、優れた仕上り外観を呈する軒先パネル取付け構成体に関するものである。
【０００２】
【従来技術とその課題】
従来、家屋軒先に軒樋を取付け施工する場合に、側壁や鼻隠し等の軒先前面板に吊り金具を用いて軒樋を取付けると同時に、ブラケットを用いてその一端側を軒先前面板に固定させて軒樋の底部を下支えすると共に、他端側に、軒樋の前面を覆う化粧カバーを取付けた謂わゆるパラペットが用いられたり、或いは、軒樋の前縁耳部と前縁底部の上下に係着するカバー取付け金具を軒樋の前面に取付け、該カバー取付け金具を介して軒先化粧カバーを取付ける等の方法が採用されている。
【０００３】
しかしながら、上記前者の方法では、パラペットの取付け作業が煩雑であり、軒樋から竪樋に接続する落し口を取付ける作業等の場合に、軒樋を下支えするブラケットが邪魔立てして施工し難い等の問題があると共に、取付け後の外観は、意匠性の点でもう一歩の感がするものである。
また、上記後者の方法では、取付け後の外観意匠上は特に問題ないが、軒樋の前縁耳部や前縁底部とカバー取付け金具との取付け、並びに、カバー取付け金具と化粧カバーとの取付けは、ビス等の固定具による締着ではない為に、経時的には軒樋からカバー取付け金具が逸脱したり、カバー取付け金具から化粧カバーが逸脱したりする虞れがあると云う課題がある。
【０００４】
【課題を解決するための手段】
本発明は上記課題を解決するためのものであって、その要旨は、家屋の軒先前面に、軒樋内吊り金具に締着したカバー支持具を介して軒先化粧カバーを取付けるようになした軒先パネル取付け構成体であって、前記カバー支持具は、その上部後端部が円弧状に立ち上がり且つ当該円弧状部分に長孔を設けて形成されており、前記内吊り金具の支持杆に前記上部後端部が締着され、内吊り金具の前縁樋耳係止部を覆うと共に、その前面側より垂下延設されていることを特徴とする軒先パネル取付け構成体である。
【０００５】
【発明の実施の形態】
以下、本発明の実施例を図面に基づき具体的に説明する。
図１は、本発明の一実施例を斜視図で示し、図２は、本発明の実施例の要部を側面図で示し、図３は、本発明を軒先前面に取付けた状態を側面図で示し、図４は、本発明のカバー支持具の取付け状態を側面図で示す。
【０００６】
本発明は、図１に斜視図で、また、図２、図３に側面図で示す如く、家屋の軒先前面に、内吊り金具１１に締着したカバー支持具１２を介して軒先化粧カバー３を取付けるようになした軒先パネル取付け構成体１であって、上記カバー支持具１２は、その支持具上部１２１の上部後端部が円弧状に立ち上がり且つ当該円弧状部分に蝶ねじ１２−１を締着する長孔１２−２を設けて形成され、上記内吊り金具１１の支持杆１１−１に前記上部後端の長孔１２−２が締着され、内吊り金具１１の前縁樋耳係止部１１１を覆うと共に、その前面側より垂下延設されていることを特徴とし、また、上記カバー支持具１２の支持具上部１２１及び支持具下部１２２には、軒先化粧カバー３を取付けるビス固定孔１２４が形成されていると共に、支持具中間部１２３には、内吊り金具１１の前縁樋耳係止部１１１に取付けるビス固定孔１２４が形成されていることを特徴とするものである。
【０００７】
上記本発明により、軒樋２の下面にブラケットを取付ける必要がなくなり、落し口の取付け作業が容易化されると共に、カバー支持具１２を内吊り金具１１から外さなくても軒樋２の後付けが可能である等、自由度のある施工性に優れたものであり、且つ、経時的に軒樋２からカバー支持具１２が逸脱したり、カバー支持具１２から軒先化粧カバー３が逸脱したりする等の虞れがなくなり強固に取付けることが出来る。
更に、軒樋２の前縁耳部２１の上面から前縁底部２３の下面に亘る間の軒先前面が、軒先化粧カバー３により確実に覆われて、軒樋取付け後の軒先外観は意匠性に優れている。
【０００８】
【実施例】
本発明の軒先パネル取付け構成体１は、図１乃至図３に示す如く、内吊り金具１１と該内吊り金具１１の支持杆１１−１に蝶ねじ１２−１を介して調節自在に締着したカバー支持具１２とからなり、上記内吊り金具１１は、支持杆１１−１の後端には、固定具１１６を挿着したスライド固定部１１３を固定し、その内懐には後縁樋耳係止部１１２を形成してあり、また、支持杆１１−１の前端には、背面にアングル１１−２を取付けた前縁樋耳係止部１１１を形成してある。
【０００９】
そして、本発明の要部は、上記内吊り金具１１の支持杆１１−１に締着するカバー支持具１２であって、カバー支持具１２は側視略Ｃ形状をなし、その支持具上部１２１の後端側を円弧状に立上げ、ここに蝶ねじ１２−１を締着する長孔１２−２を穿設し、また、支持具上部１２１の前端側を、内吊り金具１１の前縁樋耳係止部１１１を覆う如く立上げ、その頂部には軒先化粧カバー３をビス止め固定するためのビス固定孔１２４を穿設してある。
【００１０】
カバー支持具１２の支持具中間部１２３は、上記支持具上部１２１から内吊り金具１１の前面側を覆う如く垂下形成され、内吊り金具１１の前縁樋耳係止部１１１の背面に取付けたアングル１１−２に、軒樋２をビス止め固定するためのビス固定孔１２４が穿設されている。
また、上記カバー支持具１２の支持具下部１２２は、支持具中間部１２３の下端を内側に折曲してその先を垂直に延設し、ここには軒先化粧カバー３のカバー下部３２をビス止め固定するためのビス固定孔１２４が穿設されている。
そして、上記支持具上部１２１から支持具下部１２２の途中に至る間のカバー支持具１２の幅方向の両側端には、内向きに補強片１２５を添設してある。
【００１１】
以下に、本発明の施工手順について具体的に述べる。
図３に示す如く、先づ、軒先水切板Ｃ−１を屋根Ｃの下地材に取付けた後、鼻隠し水切板Ｂを、軒先固定板１１４と共に釘１１５をもって軒先前面板Ａに固定しておき、次いで、蝶ねじ１２−１によりカバー支持具１２を仮止めした内吊り金具１１のスライド固定部１１３を、上記軒先固定板１１４に挿入し、固定具１１６を用いて軒先固定板１１４とスライド固定部１１３間を固定する。
【００１２】
そして、軒樋２の前縁樋耳部２１を内吊り金具１１の前縁樋耳係止部１１１に引っ掛けると共に、後縁樋耳部２２を内吊り金具１１の後縁樋耳係止部１１２に係着して、軒樋２を内吊り金具１１の下方から取付けることが出来る。
しかる後、図４に側面図で示す如く、内吊り金具１１に仮止めしたカバー支持具１２を矢視方向より軒樋２の前面に当接するが、この際、蝶ねじ１２−１と支持具上部１２１に設けた長孔１２−２間を緩着しておくことにより、カバー支持具１２が自在に持上げられて軒樋２の取付けが簡単、且つ容易に行なわれる。
【００１３】
次いで、カバー支持具１２の支持具中間部１２３に形成したビス固定孔１２４から、内吊り金具１１に取付けたアングル１１−２に固定ビス４を締着すると同時に、蝶ねじ１２−１を締付けて内吊り金具１１とカバー支持具１２間に軒樋２を確実に固定することが出来る。
しかる後、カバー支持具１２の支持具下部１２２の内側に、軒先化粧カバー３のカバー下部３２を当てがい、ビス固定孔１２４から固定ビス４を用いて固定すると共に、軒先化粧カバー３のカバー上部３１を支持具上部１２１に被せ、ビス固定孔１２４から固定ビス４を用いて固定することによって、本発明を用いた軒樋２の取付けを含む家屋の軒先の施工を完了する。
【００１４】
上記本発明によれば、軒樋２の下面にブラケットを取付ける必要がないので、軒樋２から竪樋に接続する落し口を設ける際に邪魔になるものがなく、従って、所望の位置に取付け作業をすることが出来ると共に、カバー支持具１２を内吊り金具１１から外さなくても軒樋２を後付けすることが出来るなど、自由度のある施工性に優れたものである。
【００１５】
また、軒樋２前壁部とカバー支持具１２との間、並びに、軒先化粧カバー３とカバー支持具１２との間は、固定ビス４等の固定具により締着されるために、従来の如く、経時的に軒樋２からカバー支持具１２が逸脱したり、カバー支持具１２から軒先化粧カバー３が逸脱したりする等の虞れがなくなり、確実且つ強固に取付けることが出来る。
更に、本発明により、軒樋２の前縁耳部２１の上面から前縁底部２３の下面に亘る間の軒先前面が軒先化粧カバー３により覆われるので、軒樋２の取付け後の仕上り外観は従来になく優れたものである。
【００１６】
【発明の効果】
本発明は上記構成よりなるので下記効果を奏する。
即ち、本発明により、軒樋の下面に落し口等を自在に取付け出来、また、軒樋の後付け施工も可能になるなど施工性に優れたものであると共に、軒樋とカバー支持具間、及びカバー支持具と軒先化粧カバー間が強固に取付けられ、且つ軒樋取付け後の仕上り外観は意匠性に優れている等かずかずの作用効果を奏するものである。
【図面の簡単な説明】
【図１】本発明の一実施例を斜視図で示す。
【図２】本発明の実施例の要部を側面図で示す。
【図３】本発明を軒先前面に取付けた状態を側面図で示す。
【図４】本発明のカバー支持具の取付け状態を側面図で示す。
【符号の説明】
１        軒先パネル取付け構成体
１１      内吊り金具
１１−１  支持杆
１１−２  アングル
１１１    前縁樋耳係止部
１１２    後縁樋耳係止部
１１３    スライド固定部
１１４    軒先固定板
１２      カバー支持具
１２−１  蝶ねじ
１２−２  長孔
１２１    支持具上部
１２２    支持具下部
１２３    支持具中間部
１２４    ビス固定孔
１２５    補強片
２      軒樋
３      軒先化粧カバー
４      固定ビス
Ａ      軒先前面板
Ｂ      鼻隠し水切板
【図１】
0003753848.tif 000002
【図２】
0003753848.tif 000003
【図３】
0003753848.tif 000004
【図４】
0003753848.tif 000005